(57)【要約】【課題】着用時における外観的な意匠効果を損なうことなく、涼風感を得られる構成とされた実用性の高い涼風機能を備えた帽子を提供する。【解決手段】着用者の前頭部に対応する帽体２に軸流型の電動ファン6を取付けて帽体周縁から内部に外気を導入して付設された電動ファン６にて排気するようにした帽子１において、前記電動ファン６は帽体2に形成された排気開口部４の内側に取付けられ、その排気開口部４には帽体表面に沿うようにして電動ファン６の排出側を覆うネット５が取付けられ、かつ前記電動ファン６の吸込み側に保護ネット８とその保護ネット８の外周部にクッション性を有する枠体１０が設けられている。【選択図】図２
2009041149.tif 000002
【特許請求の範囲】
【請求項１】
着用者の前頭部に対応する帽体に軸流型の電動ファンを取付けて帽体周縁から内部に外気を導入して前記電動ファンにて排気するようにした帽子において、
前記電動ファンは帽体に形成された排気開口部の内側に取付けられ、その排気開口部には帽体表面に沿うようにして電動ファンの排出側を覆うネットが取付けられ、かつ前記電動ファンの吸込み側に保護ネットとその保護ネットの外周部にクッション性を有する枠体が設けられていることを特徴とする帽子。
【請求項２】
前記帽体が麦わら帽子であり、この帽体の着用部における内周面縁部寄りの位置にクッション片が取付けられ、帽体の周縁部から外気が吸引されるように構成されている請求項１に記載の帽子。
【請求項３】
前記帽体は前方ひさし付きの布製キャップと、この布製キャップの内側に収まる合成樹脂製の内装キャップとで構成され、前記布製キャップの前頭部には前記排気開口部が形成され、前記内装キャップの前頭部には前記布製キャップの排気開口部と対応する位置に電動ファンが取付けられ、この電動ファンの吸込み側を覆うようにして片面周縁に前記クッション性を有する枠体が取付けられる請求項１に記載の帽子。
【請求項４】
前記布製キャップと前記内装キャップとは、布製キャップの内側縁のビン皮内に内装キャップの周縁部を嵌め込むようにして組み合わされ、その内装キャップには周縁から上部に向かって複数の切込みが形成され、この切込みを通じて内装キャップと布製キャップとの間に形成される空間を通じて前記電動ファンへの排気流通路が形成される請求項３に記載の帽子。
【発明の詳細な説明】
【技術分野】
【０００１】
本発明は、着用した帽体の内部に溜まる熱や湿気を排出して蒸れを解消できる機能を備えた帽子に関するものである。 
【背景技術】
【０００２】
従来、農作業や園芸作業などで着用されている麦わら帽子などハットは、長い時間着用していると、通気性はあるもののどうしても頭部が蒸れて不快感を受ける。特に夏季など日照が激しい場所では日除けとなっても不快感を解消することはできない。また、布製のひさしを備えた帽子を着用している場合でも、前記ハットと同様に、強い日射しを受けると頭部が蒸れて不快感を受ける。
【０００３】
このような帽子の着用による蒸れなどの不快感を解消する試みとしては、例えば帽子の着用時における前頭部に対応した位置にファンを取付けて、着用者が所持するバッテリー（電源）から動力を受けて前記ファンを回転させ、帽子の内部に空気を流入させて涼風感が得られるようにしたものが特許文献１または特許文献２によって知られている。
【０００４】
前記特許文献１によって開示されるものは、本発明者の発明に係る帽体の換気装置であり、主にヘルメットの内部に組み込んだ内装キャップに電動ファンを取付けて帽体の内側と内装キャップとの間に形成される空間に外気を流動させてヘルメットからの熱気を遮断し、併せてヘルメットで覆われる着用者の頭部が蒸れるのを防止するようにされている。このような構成の帽体の換気装置では、ヘルメットに組み込んで使用する場合には、有効であるが、一般の農作業や園芸作業など特に頭部が飛来物に対して保護する作業現場でない場合の日除けとして着用する帽子、例えば麦わら帽子のように軽量な帽体に採用するには二重構造となる前記特許文献１による構成では構造的に不都合であり、製作費も高価になるという問題点がある。
【０００５】
また、前記特許文献２によって知られる電動空冷帽体は、野球帽のような前方にひさしを備えた帽体で、その帽体の前方位置の外側に軸流電動のファンを取付けて帽体の内部に外気を流入させ、内側で送風方向流れ変換器を設けて着用者の前額部に流入させた空気を当てて涼風感を得られるようにしたものがある。また、この外気の取り入れ部分に脱臭機能を有する鉱物の粉末を混入した部材を取付けて発汗などによる臭気を取り除くようにすることが記載されている。しかしながら、この構成では軸流電動ファンが帽体の表面から突出して取付けられる構造となるので、いわゆる体裁が悪くて外観上好ましくないという問題点がある。しかも、電動ファンにより吸い込まれる外気が送風方向流れ変換器によって直ちに着用者の前額部に流下する構成であるから、顔面部分には涼風が流れても、それ以外の側頭部から後頭部にかけては冷気が通らないので、冷風の流れない部位では蒸れが生じ、冷風感を感じることがないという問題点がある。
【０００６】
【特許文献１】実用新案登録第３１１８７２１号公報
【特許文献２】特開平１０−１４０４１６号公報
【発明の開示】
【発明が解決しようとする課題】
【０００７】
前述のように、従来の帽子においては、日照による熱気で着用者が蒸れなどの不快感を解消するという問題点を解決するために種々の手段を講じているが、その作用効果を十分に発揮できず、しかも実用性を追求しても着用時における外観的な意匠効果を損なう形状となるという問題点について、未だ解決されるに至っていない。
【０００８】
そこで、本発明は、このような問題点を解消するためになされたもので、着用時における外観的な意匠効果を損なうことなく、涼風感を得られる構成とされた実用性の高い涼風機能を備えた帽子を提供することを目的とするものである。
【課題を解決するための手段】
【０００９】
前記目的を達成するために、本発明による帽子は、
着用者の前頭部に対応する帽体に軸流型の電動ファンを取付けて帽体周縁から内部に外気を導入して前記電動ファンにて排気するようにした帽子において、
前記電動ファンは帽体に形成された排気開口部の内側に取付けられ、その排気開口部には帽体表面に沿うようにして電動ファンの排出側を覆うネットが取付けられ、かつ前記電動ファンの吸込み側に保護ネットとその保護ネットの外周部にクッション性を有する枠体が設けられていることを特徴とするものである（第１発明）。
【００１０】
前記発明において、前記帽体が麦わら帽子であり、この帽体の着用部における内周面縁部寄りの位置にクッション片が取付けられ、帽体の周縁部から外気が吸引されるように構成されているのが良い（第２発明）。
【００１１】
また、前記発明において、前記帽体は前方ひさし付きの布製キャップと、この布製キャップの内側に収まる合成樹脂製の内装キャップとで構成され、前記布製キャップの前頭部には前記排気開口部が形成され、前記内装キャップの前頭部には前記布製キャップの排気開口部と対応する位置に電動ファンが取付けられ、この電動ファンの吸込み側を覆うようにして片面周縁に前記クッション性を有する枠体が取付けられる構成とすることもできる（第３発明）。
【００１２】
第３発明において、前記布製キャップと前記内装キャップとは、布製キャップの内側縁のビン皮内に内装キャップの周縁部を嵌め込むようにして組み合わされ、その内装キャップには周縁から上部に向かって複数の切込みが形成され、この切込みを通じて内装キャップと布製キャップとの間に形成される空間を通じて前記電動ファンへの排気流通路が形成されるのが好ましい（第４発明）。
【発明の効果】
【００１３】
本発明によれば、帽体に軸流型の電動ファンを装着するに際し、その電動ファンを帽体の内側に収まるようにして外観形状を損なうことなく帽体内からの排気が行えるようにして積極的に着用者の頭部に冷風を供給できる構成とされ、着用者の頭部周囲から吸込まれる外気を帽体内にて好適な流れを作って全体的に気流が移動し、爽快感を得やすくすることができる。しかも構造簡単にして外観的な意匠効果を高めることができるという効果を奏する。
【発明を実施するための最良の形態】
【００１４】
次に、本発明による帽子の具体的な実施の形態について、図面を参照しつつ説明する。
【００１５】
（第１の実施形態）
図１には、本発明の第１の実施形態に係る麦わら帽子の外形図が示され、図２には要部の拡大断面図が、図３には図２のＡ−Ａ視図が、図４には使用状態を表わす図が、それぞれ示されている。
【００１６】
第１の実施形態はハット型の帽子に関するものであり、その代表的な帽子としてストローハット（麦わら帽子）に空冷手段を施したものである。
【００１７】
この実施形態の帽子１は、帽体２が、麦わらリボンで周知の形状に組み立てられたものであり、着用者の前頭部３に対応する箇所（以下、説明上単に「前頭部３」という。）に排気流出口４（本発明の排気開口部に対応）が設けてある。この排気流出口４は所要寸法の方形に帽体２の一部を切抜いて、その開口周縁をテープもしくは接着剤にて補強した補強縁４ａが形成されている。
【００１８】
また、前記排気流出口４には、内面側から適宜補強を加えた比較的目の粗い保護用のネット５が取付けられ、後述する電動ファン６の排気側を覆って異物の侵入や使用者の手指を保護するようにされている。なお、このネット５に加えた補強５ａは、デザイン的に美観を呈する形状に設けておくのが好ましい。こうすることで帽体２から局部的な突出部が形成されず帽子全体の意匠を損なうことがない。
【００１９】
前記電動ファン６は、薄型の軸流ファンであり、前記帽体２に設けられた排気流出口４の内側で帽体２にフレーム６ａを接着もしくは小ねじにて固着されている。この電動ファン６には帽体２の内面に沿わせて帽体２の後部までリード線１３が取付けられ、このリード線１３の端部に取付けられた接続端子１４ａ，１４ｂによって、電源電池１５と接続された外部配線１６に着脱可能に接続されている。なお、前記外部配線１６には手元スイッチ１７が設けられ、電源を入り切りできるようにされている。また、電源電池１５は乾電池を所要の容量分ケース１８に収容して使用者が携帯できるようにされている。なお、作業時などで外部から大きな力で引っ張り作用が働いた場合には、前記接続端子１４ａ，１４ｂの箇所で断線されるので、使用者に危害が加わるのを防止することができる。
【００２０】
前記電動ファン６の吸込み側（帽体２の内側）には通気を損なうことなくかつ頭髪が回転するファンに吸引されるのを防止できる程度の網目にてなる保護ネット８が取付けられ、この保護ネット８の表面（着用者の頭部に接する側）周縁部に有効な排気吸込み開口面積を確保して適宜肉厚のクッション材（例えばプラスチック製スポンジのシート）で形成された枠体１０が取付けられている。また、帽体２の着用部における内周面縁部２ｂ寄りの適所には適宜配分でスポンジ材によるクッション片１１，１１′が取付けられ帽子の着用時に前記電動ファン６による吸引力で帽体２の周縁部から着用者の頭部周りに吸込まれた外気が帽体２の外部に前記頭部と帽体２の内面との空間を通じて流動して排出できるようにされている。なお、図中符号１０ａは前記保護ネット８と枠体１０とを、電動ファン６を覆って帽体２に装着する脚片でスポンジ材で形成されている。
【００２１】
このように構成されるこの実施形態の麦わら帽子１は、図４に示されるように着用すれば、麦わら帽体２の着用部分がクッション片１１と枠体１０によって着用者の頭部と帽体内面２ｃとの間に適度な空隙が形成される。この状態で電源電池１５入りの電池ケース１８を作業着など着衣のポケットなどに入れて所持し、外部配線１６と帽体２に付属するリード線１３の端部とを接続端子１４ａ，１４ｂによって接続して手元スイッチ１７によりオンにして電動ファン６を駆動させる。
【００２２】
電動ファン６を起動するとその回転による吸引力で帽体２内に気流が発生し、外気が帽体２の周縁部から内部に流入される。帽体２の周縁部から流入する外気は、着用者の頭部と帽体内面２ｃとの間に形成される空間を通り帽体内周面縁部２ｄから電動ファン６の吸込み側に位置する保護ネット８を通り電動ファン６により排気流出口４から外部に排出される。外気は前記空間を流通する間に頭部から発する熱や水分（汗など）を奪って排出されるので、蒸れが生じるのが解消されて爽快感が醸成されるのである。また、電動ファン６による排気流出口４を前頭部３付近に設けたことにより、着用者の額部分から外気の流れを有効にしてファンが回転している間、帽子本来の日除け効果に加えて涼風感を一層高め得る効果が得られる。また、電動ファン６はクッション材（枠体１０とクッション片１１，１１′）により緩衝されるので、振動が頭部に伝達されるのを緩和し、不快感を与えることもない。なお、送風を停止するときには手元スイッチ１７によりオフにすることで、電源を外さなくとも電動ファン６を停止させることができる。したがって、この帽子１を着用して農作業などを行う場合、日照が強くても頭部を冷却状態に保って作業できるので、能率向上に役立てられる。
【００２３】
（第２の実施形態）
図５には、本発明の第２の実施形態に係る布製キャップの外形図が示され、図６には布製キャップと内装キャップを組み合わせた帽子の縦断面図が、図７には図６のＢ−Ｂ視図が、それぞれ示されている。なお、前記実施形態の帽子における構成と同一もしくは同様の構成については、同一の符号を付して詳細な説明を省略する。
【００２４】
第２の実施形態の帽子１Ａは、前方ひさし付きキャップ型の帽体２Ａに適用されたものであり、布製キャップ２０とプラスチック製内装キャップ３０とを組み合わせ、これに電動ファン６を組み込んで構成されている。
【００２５】
前記布製キャップ２０は、いわゆる野球帽の形状で、頂部から前頭部にかけての所要区間に網目の粗いネット構造による排気部２２(本発明の排気開口部に相当する。)を有している。なお、その他の部分については周知の形状に縫製されている。符号２１はひさしである。
【００２６】
一方、内装キャップ３０は、プラスチックで前記布製キャップ２０の内側に収まる外形に成型されている。この内装キャップ３０の前頭部位置には、排気開口部４が形成され、この排気開口部４の帽体内側位置には軸流の電動ファン６がそのフレーム６ａを小ねじまたは接着剤を用いて固着されている。また、この内装キャップ３０は、その周縁３２から上方へ複数箇所で適宜幅の切込み部３３，３４が形成され、周方向に拡縮可能な構造とされており、この切込み部３３，３４が外部からキャップ内への空気の流通路を兼ねるようにされている。
【００２７】
そして、前記電動ファン６の吸込み側（帽体３１の内側）には、前記実施形態と同様に、通気を損なうことなくかつ頭髪が回転するファンに吸引されるのを防止できる程度の網目にてなる保護ネット８が取付けられ、この保護ネット８の表面（着用者の頭部に接する側）周縁部に有効な通気開口面積を確保して適宜肉厚のクッション材（例えばプラスチック製スポンジのシート）で形成された枠体１０が取付けられている。また、内装キャップ３０の内面には、細幅帯状のスポンジにてなるクッション片１１″が前記切込み部３３，３４に空気の流通路が形成されるように配置して取付けられている。
【００２８】
また、前記電動ファン６には、内装キャップ３０の内面もしくは外面に沿わせてリード線１３が取付けられ、その先端部に取付けた接続端子１４ａ，１４ｂによって前記第１の実施形態と同様に携帯所持できる電源電池１５と外部配線１６を着脱可能に接続され、その外部配線１６中に設けた手元スイッチ１７でオン・オフできるようにされている。図中符号１９は緊急断線部である。
【００２９】
このように構成された本実施形態の帽子１Ａは、布製キャップ２０の内側に電動ファン６を前向きにして内装キャップ３０を嵌め合わせ、その内装キャップ３０の周縁を布製キャップ２０の内縁に取付けられているビン皮２５の内側に収まるようにして組み合わせる。なお、布製キャップ２０の後頭部に設けられている周縁長さの調節バンド２６で周囲を調整することにより内装キャップ３０を安定保持させる。
【００３０】
こうして布製キャップ２０内に内装キャップ３０が一体的に組み込まれると、電動ファン６が布製キャップ２０の排気部２２に対向して配置され、内装キャップ３０の外周面と布製キャップ２０の内面との間に適度な空間部４０が形成される。この空間部４０は、電動ファン６を駆動して吸引力を作用させると、帽体２Aの周縁部（ビン皮周縁部）から内装キャップ３０内に外気が取入れられる。すると、着用者の頭部に接して内装キャップ３０内を流動した空気が電動ファン６に吸引され、布製キャップ２０の排気部２２から外部に排出される。また、外気は後頭部に形成される頭部長さ調節空間部４１の開口部分からも空間部４０を通りこの内装キャップ３０に複数形成された切込み部３３，３４より吸込まれ、より有効に頭部から熱気を奪って外部に放出される。
【００３１】
したがって、この二重構造に構成された帽子１Ａを着用すれば、前記実施形態の麦わら帽子１と同様に着用者が着衣の適所に所持した電源電池１５と電動ファン６とを配線（外部配線と１６帽子内のリード線１３）を接続して手元スイッチ１７をオン・オフして電動ファン６を駆動したり停止させて頭部に冷風を流通させる。電動ファン６が駆動されると内装キャップ３０内に流入した外気が帽体内を流動し、排気部２２から放出される。この外気は内装キャップ３０の内面と着用者の頭部との空間に沿って流動し、頭部から発生する熱気を奪って電動ファン６により積極的に外部に放出される。こうして周縁から引きこまれた空気が流動する間に着用者の頭部から発する熱気や汗と熱交換されて（奪って）外部に排出されるとともに、空気の流動により爽快感が醸成されるのである。
【００３２】
また、この実施形態の帽子１Ａにおいて、着用時には電動ファン６による排気開口部４付近並びに内装キャップ３０の内面に対して枠体１０やクッション片１１″によって頭部との接触部分が緩衝されているので、着用時の安定感が得られ違和感を与えることなく使用することができる。また、電動ファン６は布製キャップ２０の内側に収まるようにされているので、外観的に違和感がなく特殊な帽子であるにもかかわらず、排気部２２となるネット５取付構造と相俟って意匠効果を高め得ることができる。
【００３３】
以上は、野球帽型のキャップ並びに麦わら帽子に電動ファンと外気の流通構造からなる空冷手段を備えた帽子について記載したが、これら野球帽・麦わら帽子に限定されるものではなく他の形状あるいは他の材質による帽子にも採用することができる。
【図面の簡単な説明】
【００３４】
【図１】本発明に係る空冷手段を備えた麦わら帽子の外形図
【図２】要部の拡大断面図
【図３】図２のＡ−Ａ視図
【図４】使用状態を表わす図
【図５】本発明に係る空冷手段を備えた布製キャップの外形図
【図６】布製キャップと内装キャップを組み合わせた帽子の縦断面図
【図７】図６のＢ−Ｂ視図
【符号の説明】
【００３５】
１      ハット型の帽子（麦わら帽子）
１Ａ    野球帽型の帽子
２，２Ａ      帽体
３      前頭部
４      排気開口部
５      排気開口部（排気部）に付されたネット
６      電動ファン
８      保護ネット
１０    枠体
１１，１１′，１１″    クッション片
１５    電源電池
１６    外部配線
２０    布製キャップ
２２    排気部
２５    布製キャップのビン皮
３０    内装キャップ
３３，３４    切込み部
４０    空間部
【図１】
2009041149.tif 000003
【図２】
2009041149.tif 000004
【図３】
2009041149.tif 000005
【図４】
2009041149.tif 000006
【図５】
2009041149.tif 000007
【図６】
2009041149.tif 000008
【図７】
2009041149.tif 000009